(57)【特許請求の範囲】
【請求項１】
読み取り対象情報が記載された帳票の情報記載面が接するように、該帳票を載置可能な光透過性を有する帳票載置部と、
前記帳票とは反対側より前記帳票載置部を介して、前記帳票の前記情報記載面に光を照射する光源と、
前記帳票の情報記載面から得られた反射光を反射するためのミラーと、
前記反射光が入射され前記情報を読み取る情報読み取り部と、
前記光源と前記ミラーとを搭載し前記帳票から前記情報読み取り部までの光路長さを一定に保つように移動するキャリッジと、
前記キャリッジを前記情報が読み取られる方向に設けられた移動経路に沿って移動させる移動機構と、
前記情報読み取り部により読み取られた前記情報にもとづいて前記帳票載置部に載置された前記帳票の他方の面に印字する印字部と
を具備したことを特徴とする帳票処理装置。
【請求項２】
前記帳票載置部の帳票の載置状態を検知する帳票載置状態検知部が前記印字部に設けられていることを特徴とする請求項１記載の帳票処理装置。
【請求項３】
前記帳票載置部に帳票が載置され前記情報読み取り部で情報が読み取られた場合にのみ前記印字部により所望の情報を前記帳票へ印字することを特徴とする請求項１乃至２のいずれかに記載の帳票処理装置。
【請求項４】
前記帳票載置部は前記ミラーおよび前記光源および前記キャリッジが内蔵された筐体に埋設されており、前記帳票載置部に帳票が載置される面が前記帳票載置部が埋設される前記筐体の面よりも低いことを特徴とする請求項１乃至３のいずれかに記載の帳票処理装置。
【請求項５】
前記印字部により前記帳票に印字される情報は、可視光領域において実質的に不可視であり紫外光を照射することにより可視化されるインクを用いて印字されることを特徴とする請求項１乃至４のいずれかに記載の帳票処理装置。
【請求項６】
前記印字部は前記インクと可視光領域において可視化できるインクとが具備されていることを特徴とする請求項５に記載の帳票処理装置。
【請求項７】
前記光源は異なる波長を有する複数の光源を具備し、第１の光源は可視光領域の光を発する光源であり第２の光源は紫外光領域の光を発する光源であることを特徴とする請求項１に記載の帳票処理装置。
【発明の詳細な説明】
【０００１】
【発明の属する技術分野】
本発明は、各種伝票や申込用紙等の帳票に記載される文字・記号を光学的に読み取り、所望の情報を印字する帳票処理装置に関する。
【０００２】
【従来の技術】
帳票処理装置は、近年、文字認識技術の向上により使用される用途が増えている。例えば、銀行、官公庁を始め様々な分野で使用する各種伝票、申込書等の帳票は、従来は処理する人が帳票の内容をコンピュータに入力して所定の処理を行っていた。しかしながら、最近では特開平６−１０７３６４号公報や特開平１１−１７７７８４号公報に示すように光学的文字認識装置すなわちＯＣＲ（Ｏｐｔｉｃａｌ  Ｃｈａｒａｃｔｅｒ  Ｒｅａｄｅｒ）を用いて帳票上の文字が読み取られ、コンピュータ内に取り込まれ、読み取った文字が認識され、この認識された文字をもとに様々な処理を行っている。
【０００３】
以下図１０を用いて従来の帳票処理装置について説明する。
【０００４】
帳票処理装置１０１は帳票１０２が載置されるベース１０３、ホッパ１０４、取り出しローラ１０５，１０６、セパレータ１０７、テンションローラ１０８、ドライブローラ１０９、光源１１０，１１１、リフレクタ１１２、折り返しミラー１１４，１１５、レンズ１１６、ＣＣＤセンサ１１７、搬送路１１８、ＣＣＤセンサ１１９、ドットプリンタヘッド１２０、インクリボン１２１、プラテン１２２とスタッカ１２３とからなる。
【０００５】
帳票１０２が積層された帳票束は、ホッパ１０４に取り付けられた上下にスライドするベース１０３に載置されている。ベース１０３は、帳票１０２が取り出されていくに従って上方に移動するような機構になっている。
【０００６】
束の一番上の帳票１０２は、ゴム等の材質を持つ取り出しローラ１０５、１０６が時計回りに回転することにより、帳票１０２が一枚づつ取り出されていく。
【０００７】
取り出しローラ１０５、１０６によって帳票１０２が複数枚取り出された場合には、セパレータ１０７で二枚目以降の帳票１０２が一枚目の帳票１０２と一緒に取り出されることを防ぐ。
【０００８】
取り出された帳票１０２は、図中矢印方向に搬送され、一対のローラすなわちテンションローラ１０８と、図示しないモータにつながれたドライブローラ１０９との間で搬送力を受けながら一定速度で搬送される。この一対のローラ１０８，１０９は搬送路１１８の全域にわたって複数対設けられている。
【０００９】
帳票１０２が読み取り部Ａに到達すると、帳票１０２表面に表示される情報の読み取りを開始する。読み取り方法は光源１１０，１１１から照射された光をリフレクタ１１２で読み取り部Ａに集光させ、Ａの位置にある帳票１０２の文字に光が照射されると、帳票１０２からの反射光は折り返しミラー１１４，１１５で折り返されて、レンズ１１６を通りＣＣＤセンサ１１７で結像される。光源１１０，１１１からＣＣＤセンサ１１７までの光路を光路１１３とする。
【００１０】
ＣＣＤセンサ１１７で読み取られた帳票１０２の情報は、図示しないコンピュータに取込まれ文字の認識が行われデータ処理される。
【００１１】
上記一連の動作は帳票１０２を移動させながら連続して行われる。また帳票１０２表面の情報を読み取る際は通常縮小光学系が用いられる。
【００１２】
読み取り部Ａを通過した帳票１０２が読み取り部Ｂに到達すると、帳票１０２裏面の情報の読み取りを開始する。
【００１３】
読み取り部Ｂでは、縮小光学系が入るスペースがないため密着型のラインＣＣＤセンサ１１９が用いられる。帳票１０２裏面の情報を読み取る必要がない場合は、密着型のラインＣＣＤセンサ１１９は不要である。
【００１４】
読み取り部Ｂを通過した帳票１０２は、搬送路１１８に沿って搬送される。搬送路１１８によって搬送される帳票１０２は、帳票１０２から情報を読み取ったことを示す印がプリンタにより記録される。プリンタは、ドットプリンタヘッド１２０と、インクリボン１２１と、プラテン１２２とから構成される。
【００１５】
インクリボン１２１とプラテン１２２との間にある帳票１０２に、所定の文字例えば受付番号または使用者固有の番号などが印字される。印字が終了した帳票１０２は、矢印の方向に搬送されスタッカ１２３に送られる。
【００１６】
この様な動作を帳票１０２がベース１０３からなくなるまで連続して行われて、読み取り、印字が終了した帳票１０２はスタッカ１２３に集積される。
【００１７】
【発明が解決しようとする課題】
しかしながら、上述のような構成をした従来の帳票処理装置では、帳票に所望の情報を印字するために、帳票の取り出し、搬送、情報の読み取り、印字、スタックの動作を一連して行うことから各工程を行うための装置が複雑になり、また個々の装置の制御が必要であり、かつ装置が大型化するという問題があった。また、例えば情報の読み取り、印字の際の位置決めなどの制御が複雑になるため低コストで動作させることが難しかった。さらに、搬送によって帳票が汚れるといった問題もあった。
【００１８】
そこで、本発明は上記従来の問題点に鑑みてなされたもので、小型でありながら操作性が良く、帳票を搬送させる等の複雑な機構、制御を不要とした帳票処理装置の提供を目的とする。
【００１９】
【課題を解決するための手段】
上記目的を達成するために、本発明の帳票処理装置は、
読み取り対象情報が記載された帳票の情報記載面が接するように、該帳票を載置可能な光透過性を有する帳票載置部と、
前記帳票とは反対側より前記帳票載置部を介して、前記帳票の前記情報記載面に光を照射する光源と、
前記帳票の情報記載面から得られた反射光を反射するためのミラーと、
前記反射光が入射され前記情報を読み取る情報読み取り部と、
前記光源と前記ミラーとを搭載し前記帳票から前記情報読み取り部までの光路長さを一定に保つように移動するキャリッジと、
前記キャリッジを前記情報が読み取られる方向に設けられた移動経路に沿って移動させる移動機構と、
前記情報読み取り部により読み取られた前記情報にもとづいて前記帳票載置部に載置された前記帳票の他方の面に印字する印字部とから構成される。
すなわち、帳票を搬送させることなく光学系を移動させて帳票から情報を読み取ることにより、読み取った情報に対する記録をカバーに取り付けられる印字部により行うことを特徴としている。
【００２０】
また、帳票が帳票載置部上にない場合には、印字の必要がないため、印字部内あるいは印字部近傍に取り付けられる帳票載置状態検知部により、帳票の有無を検知してから印字を行うこともできる。この帳票載置状態検知部は、反射型光センサ、透過型光センサなど、帳票の有無を検知可能であればどの様なものでもよい。
【００２１】
また、前記印字部によって前記帳票に印字を行う場合には、帳票載置部をプラテンとすることもできる。このような構成であれば、従来のようなドットプリンタの場合プラテンが別途必要になるが、帳票を載置する帳票載置部をプラテンとして兼用することができる。
【００２２】
また、前記印字部が前記カバーに取り付けられる位置を、前記帳票を載置する基準位置側、もしくは前記カバーの開閉支持点側とすることもできる。このような構成であれば、印字部の設置位置を開閉支持点側にして、カバー開閉時の負荷を低減することができ、装置を長寿命化することができる。
【００２３】
また、前記帳票処理装置を立てて（帳票載置部を水平に置かないで）使用する際、前記帳票を載置する基準位置において、前記帳票位置がずれないように位置決め部を設け、前記カバーが読み取り中に動かない様にストッパを設けることもできる。このような構成であれば、装置の載置場所を小さくすることができ、また読み取り動作、記録動作を誤作動なく正確に行うことができる。
【００２４】
また、帳票処理装置の運転・制御については、帳票処理装置自体に設けられる運転・動作スイッチによって行うことも、またパソコン等から遠隔操作することもできる。パソコン等の外部運転・制御手段を用いれば、使用者が所望する情報を、帳票へ記録することがより容易に可能になる。
【００２５】
【発明の実施の形態】
以下、本発明の実施の形態の構成を図面を参照しながら説明する。
【００２６】
図１乃至図３は本発明の第１の実施の形態に関するものである。
【００２７】
図１（ａ）は、本発明の帳票処理装置の第１の実施の形態の平面図であり、図１（ｂ）は、本発明の帳票処理装置の第１の実施の形態の正面図であり、図１（ｃ）は、本発明の帳票処理装置の第１の実施の形態の側面図である。
【００２８】
帳票処理装置１は、筐体２と、プリンタ３（印字部）が載置されるカバー４とからなる。カバー４は、筐体２と蝶番５，６により回転自在に接続され、カバー４の一面は筐体２の一面（帳票載置部）と接触可能である。
【００２９】
筐体２は、内部に光学部、キャリッジ、移動機構を具備し、外表面のうちカバー４と面接触する面には光透過性を有するガラス台７（帳票載置部）が設けられている。ガラス台７の一方の面には帳票８が載置され、他方の面には光学部が設けられる。
【００３０】
光学部は、帳票８とは反対側よりガラス台７を介して帳票８に光を照射する光源９，１０と、ガラス台７を介して帳票８からの反射光をＣＣＤセンサ１１（情報読み取り部）に導く折り返しミラー１２、１３、１４、１５と、反射光を集光するレンズ１６、集光された光が入射され帳票８の情報を読み取るＣＣＤセンサ１１とキャリッジ１７，１８とからなる。
【００３１】
キャリッジは、第１キャリッジ１７と第２キャリッジ１８とからなり、第１キャリッジ１７は、光源９，１０と折り返しミラー１２とを搭載し、第２キャリッジ１８は折り返しミラー１３，１４を搭載している。第１、第２キャリッジ１７，１８は、帳票８とＣＣＤセンサ１１との光路長さを一定に保つように移動する。
【００３２】
移動機構には、帳票８からＣＣＤセンサ１１との光路長を一定に保つために第１キャリッジ１７と第２キャリッジ１８との移動速度を２：１の割合にしたものが用いられる。移動速度を２：１の割合にする方法としては、動滑車を用いて行う方法や、第１キャリッジ１７と第２キャリッジ１８にそれぞれ接続された駆動プーリの直径を２：１に設計して行う方法がある。
【００３３】
移動機構は、第１キャリッジ１７と第２キャリッジ１８とを帳票８に照射される光を発する光源９，１０の移動方向に延設されるガイドレールなどの移動経路と、第１キャリッジ１７及び第２キャリッジ１８を移動経路上で移動させるためのモータなどの駆動源とからなる。なお移動方向とは帳票８に表示される情報が読み取られる方向を指しており、本実施例では帳票８の長手方向である。
【００３４】
プリンタ３には、ガラス台７に載置可能な帳票８の載置状態、具体的にはガラス台７上の帳票８の有無を検知する光センサ１９（帳票載置状態検知部）と、プリンタ３をカバー４に固定するためのプリンタ固定板２０とが設けられる。
【００３５】
尚、プリンタ３はプリンタ固定板２０に対してネジ等の固定手段によって取り付けられている。プリンタ３のカバー４への固定方法は、カバー４の一部がプリンタ３およびプリンタ固定板２０が埋設可能にくりぬかれ、このくりぬかれた場所にプリンタ固定板２０が固定され固定されたプリンタ固定板２０に対してプリンタ３が位置決めされている。
【００３６】
プリンタ３については、図２（ａ）第１の実施の形態のプリンタの正面図、（ｂ）第１の実施の形態のプリンタの平面図を参照して詳細に説明する。
【００３７】
所定の距離離間して配置される二つのプーリ２１，２２に、ゴムベルト２３が張設される。ゴムベルト２３の外周面（プーリ２１、２２と接する面とは反対側の面の周上）には、英数字や記号等の文字２４が個々の文字ごとに刻まれている。
【００３８】
インクロール２５は、ゴムベルト２３の文字２４が形成されたゴム面と接触状態に配置される。プリンタ３の帳票８と接触する部分を突出させて帳票押え２６，２７を適宜設けても良い（帳票押えについては第２の実施の形態にて記載）。
【００３９】
ゴムベルト２３の内周空間にゴムベルト２３と接触状態に設けられるハンマ２８は、ハンマホルダ２９に取り付けられている。ハンマホルダ２９にはレール２９が貫通する貫通孔が設けられる。レール３０は、プーリ２１，２２の間に略直線形状で設けられる。
【００４０】
また、図３の第１の実施の形態の斜視図に示すように、カバー４の縁部分で筐体２と接触する位置には、鉄などの磁性体部３１，３２が埋設される。カバー４をガラス台７と接触するように閉じた状態で磁性体部３１，３２に対向する筐体２の位置にはマグネットのストッパ３３，３４が設けられている。
【００４１】
このような構成からなる第１の実施の形態の動作について説明する。
【００４２】
（０）帳票処理装置１を、例えば机３５の上に載置する。
【００４３】
（１）蝶番５，６によって回転自由に支持されたカバー４を開ける。（図１（ｃ）一点鎖線３６の状態に移動）
（２）帳票８の表面（一方の面側）を下（ガラス台７と接触させる）にしてガラス台７と接するように載置する。帳票８の表面とは読み取られる情報（被読み取り対象情報）が記載されている面を指す。
【００４４】
このとき、原点Ｐに帳票８の四隅の一端を合わせて置くようにする。これは、帳票８の大きさには、様々なサイズ（Ａ、Ｂ版、はがきサイズ、その他定型外の大きさのもの）のものが存在するためである。原点Ｐを決めることにより処理可能な全ての大きさの帳票８に対して、情報の読み取り、または帳票８への情報の印字を効率よく行うことができる。
【００４５】
（３）カバー４を閉めて（図１（ｃ）実線の状態）帳票８を固定し、帳票８表面の情報の読み取りを開始する。
【００４６】
カバー４と筐体２とが磁性体部３１，３２とマグネット３３，３４間に働く磁力で接触することによって読み取り時の帳票の移動が抑制される。
【００４７】
光源９，１０および折り返しミラー１２が搭載された第１キャリッジ１７と折り返しミラー１３，１４が搭載された第２キャリッジ１８とを矢印方向（図１（ｂ）中）に所定の速度で移動されることにより帳票８に表示される情報を読み取っていく。
【００４８】
この場合、光源９，１０から照射された光は、ガラス台７を透過して帳票８に入射され帳票８で反射されガラス台７を介して折り返しミラー１２に入り、折り返しミラー１３、１４、１５で反射されながらレンズ１６に入射され集光され結像され、ＣＣＤセンサ１１に入射される。
【００４９】
また、第１キャリッジ１７と第２キャリッジ１８の移動速度は、帳票８からＣＣＤセンサ１１までの光路長３７を一定にするために、２：１の割合、すなわち、第２キャリッジ１８の移動速度は、第１キャリッジ１７の移動速度をＶとすると、（１／２）Ｖの速度で移動される。従って、ここでは図示しないが第１キャリッジ１７と第２キャリッジ１８が２：１の速度で移動するような機構が設けられている。
【００５０】
また、カバー４を閉じた動作の後に光センサ２６によって帳票８がガラス台７上に配置されているか否かを検知する。帳票８がガラス台７上に載置されていない場合や所望の配置位置から著しくずれている（読み取り、印字動作が不可能な）場合や、帳票８が表裏逆に載置されている（情報読み取り位置に読み取られるべき情報が位置されていない）場合には、使用者に対し、光、音などにより警告を発し帳票８のガラス台７への再載置を促す。
【００５１】
尚、帳票８裏面への情報の印字が不要の場合には、予め帳票処理装置１に設けられる「印字不要」なる手段（例えばボタン）を使用することにより処理可能となる。また、印字なしモードを設定することにより印字の選択を行うことも可能である。
【００５２】
（４）帳票８表面の情報の読み取りが終了したら、読み取られた情報にもとづいてガラス台７上に静止された帳票８の裏面の所定の位置に所望の情報を印字する。印字される情報としては、光学系によって読み取られた帳票８であるか否か、どの様な分類に区分けするか等の分類表示、通し番号など、処理上必要な種種の情報を指す。
【００５３】
また、帳票８の裏面に所望の情報を印字するため、読み取り動作と記録動作とを帳票の移動を行うことなく、また位置合わせ等を行うことなく処理できる。また帳票８を搬送する搬送路を不要とするためコスト増加、大型化を伴うことなく、簡易に動作することができる。更に、帳票８の裏面への印字が通し番号や読み取りの有無等の表面の情報に対し直接関係しない（表示する必要がない）情報であれば、表面に記載される内容との情報の混同を防ぐことができる利点もある。また、表面に処理者のための記録用の特別な余白領域を設ける必要もなくなり、表面に比べて余白領域に余裕のある裏側を活用することができる。
【００５４】
以下に、より詳しく印字方法について説明する。
【００５５】
帳票８への情報を印字する方向は図２（ａ）中矢印ａ方向とする。また、ハンマホルダ２９の初期位置（印字可能領域における）は、プーリ２２近傍とする。
【００５６】
プーリ２２からプーリ２１に向かって（矢印ａ方向）ハンマ２８が一文字分移動して停止し、停止した後所望の文字を印字する。印字後ａ方向に一文字分移動して停止した後所望の文字の印字を行う。
【００５７】
文字を印字する際には、ゴムベルト２３が矢印ｂ方向（図２（ａ）中）に回転してゴムベルト２３上に刻まれた複数の文字２４のうち印字すべき文字がハンマ２８のハンマ位置に来るまで回転し続ける。所望の文字２４がハンマ２８のハンマ位置に到達した時にプーリ２１，２２の回転を止める。
【００５８】
その後、ハンマ２８が帳票８に向かって瞬時に飛び出して瞬時に元の位置に戻ることにより、ハンマ２８と帳票８との間にあるゴムベルト２３上の文字２４が帳票８に瞬時に接触して印字される。
【００５９】
次に、ハンマホルダ２９がレール３０上をａ方向に一文字ピッチ分移動する。この間に次に印字される文字２４がハンマ２８前にくるまでプーリ２１，２２が反時計回りに回転されゴムベルト２３を矢印ｂ方向に回転させる。
【００６０】
次に印字すべき文字２４がハンマ２８のハンマ位置に来れば、プーリ２１，２２の回転を止める。そして、先に印字された文字２４に隣あってハンマ２８により次の文字２４が帳票８に印字される。
【００６１】
この様な動作を印字文字数分繰り返すことにより、一行の印字を行っていく。尚、帳票読取装置１は通常一行のみの印字を行い終了する。
【００６２】
ここでインクの供給について説明する。
【００６３】
インクロール２５が、ゴムベルト２３上に刻まれた文字２４に所定の接触力にて接触しているため、プーリ２１，２２が回転するたびに各文字２４にインクを供給することで鮮明な印字を行うことができる。尚、インクロール２５の交換は、インクロール２５が取り外せるような構造になっているため容易に行うことができる。
【００６４】
以上述べた様な第１の実施の形態では、複雑な機構、制御を行うことなく帳票処理装置１を小型化し、操作性を向上（簡易に）させることができる。
【００６５】
また、搬送経路に沿って帳票８が移動することがないため、帳票８に不必要な力が加わることがなく、帳票８自体がまがったり、汚れたりするなどの痛みがなくなる。
【００６６】
また、帳票８の大きさごとに各種設定（搬送速度、読み取りタイミングなど）を変更して処理する必要がなくなるため、帳票８の大きさによらない迅速な処理を行うことが可能となり処理待機時間の減少になる。これは例えば、銀行などの窓口に配置する場合には、顧客の帳票を顧客の前でコンピュータへ入力し処理することができる。
【００６７】
また、プリンタ３をカバー４の支点位置近傍（帳票処理装置１の蝶番５，６が設けられる側面）に取り付けることにより、カバー４の開閉に必要な力の負担を少なくすることができる。
【００６８】
また、ゴムベルト２３に刻まれたゴム印で所望の文字の印字を行うため、印字の際のハンマ２８の衝撃がゴム印で吸収される。このため、ドットプリンタに比べて、プリンタ３の大きさを小さくすることができ、ガラス台７の強度を向上させることなく、ガラス台７に載置される帳票８に対して直接印字することが可能となる。
【００６９】
よって、従来用いていたドットプリンタのようにプラテンを必要とせず、帳票処理装置１の小型化に寄与する。
【００７０】
尚、プリンタ３が故障した場合には、プリンタ３本体のみをカバー４から外し交換できるためメンテナンス性も良い。
【００７１】
次に、本発明の第２の実施の形態の構成について図４を参照して説明する。
【００７２】
尚、以下の各実施の形態において、第１の実施の形態と同一構成要素は同一符号を付し、重複する説明は省略する。
【００７３】
第２の実施の形態の特徴は、プリンタ３と帳票８との位置ずれ防止手段を設けたことである。
【００７４】
図４は、本発明の帳票処理装置の第２の実施の形態の正面図（カバー４を開いた状態）である。
【００７５】
カバー４の帳票８と接触する面には、プリンタ３が載置される領域を除いて、樹脂や不識布などからなる帳票押え３８が設けられる。また、プリンタ３には、帳票８と接触するように樹脂や不識布などからなる帳票押え２６，２７が設けられる。帳票押え３８の面と帳票押え２６，２７とは、同一平面となるように形成され設けられる。
【００７６】
このような構成により、光学系により帳票８の情報を読み取る際、あるいはプリンタ３が帳票８に所定の情報を記録する際に、帳票押え３８と帳票押え２６，２７によって、少なくとも誤動作を行わない程度に帳票８を動かない様に保持することができる。
【００７７】
以上述べた様な第２の実施の形態では、情報読み取り動作時、あるいは情報記録動作時における帳票８の位置ずれを抑制することができ、使用者による載置状態の再設定を低減し処理効率を向上させることができる。
【００７８】
次に、本発明の第３の実施の形態の構成について、図５を参照して説明する。
【００７９】
第３の実施の形態の特徴は、プリンタ３の取り付け方を第１の実施の形態に対し、反時計周りに９０度回転させて配置されたことである。
【００８０】
図５（ａ）は、本発明の帳票処理装置の第３の実施の形態の平面図であり、図５（ｂ）は、本発明の帳票処理装置の第３の実施の形態の正面図であり、図５（ｃ）は、本発明の帳票処理装置の第３の実施の形態の側面図である。
【００８１】
プリンタ３のカバー４への配置を、第１の実施の形態と比べて、反時計周りに９０度回転させて設けている。
【００８２】
プリンタ３による印字方向を、図５（ａ）の左右方向にすることにより、帳票８の印字領域を変更することができる。
【００８３】
次に、本発明の第４の実施の形態の構成について、図６、７を参照して説明する。
【００８４】
第４の実施の形態の特徴は、帳票処理装置１を立てて（ガラス台７が略垂直方向となるように）配置したことである。
【００８５】
図６は本発明の帳票処理装置の第４の実施の形態の斜視図であり、図７は本発明の帳票処理装置の第４の実施の形態の基準位置の説明図である。
【００８６】
図６には、例えば机３５の側面に帳票処理装置１を携帯させる状態を示している。机３５の上にガラス台７が略垂直方向となるように帳票処理装置１を置いた場合も同様である。
【００８７】
カバー４の縁付近であって筐体２と接触する部分にマグネットのストッパ３３，３４が埋設される。またストッパ３３，３４が接触するカバー４の位置に鉄などの磁性体部が設けられる。
【００８８】
また、本実施の形態においては、カバー４とガラス台７とがなす角度は、０度（カバー４が閉じられ、カバー４とガラス台７とが接触している状態）以上９０度以内になるようにコイルバネなどを用いることにより適宜設計されている。カバー４の開閉角度は適宜設定することができ、例えば１０度、３０度、４５度、６０度など使用者の使用環境によって設計することが可能である。
【００８９】
以上述べた様な第４の実施の形態では、磁力によってカバー４と筐体２とを固定するため、開放時（帳票載置時、帳票再載置時、帳票取り出し時）には容易に開け、載置・取り出しを行うことができ、読み取り、記録の動作時には、必要な保持力（密着）により帳票の移動を抑制している。このため処理効率を向上させることができる。
【００９０】
また、カバー４が開く角度が９０度以内であるため、使用者にとって使いやすい角度を用いることができ、また、帳票の載置、取り出し時に載置された場所から落下する虞を抑制することができる。また、帳票処理装置１を机３５の側面に設置することにより設置面積を小さくすることができる。
【００９１】
次に、基準位置Ｐについて、図７を参照して説明する。
【００９２】
帳票８を基準位置Ｐに合わせてガラス台７上に配置する場合、ガラス台７は筐体２の縁３９（筐体２の一面）と段差を持って形成されている。つまりガラス台７の面は凹部となり、縁３９が凸部となっている。
【００９３】
帳票８は、凹部の側面４０，４１に当接して置くことができるので、帳票８の基準位置Ｐへの載置が容易となり、読み取り、記録動作を行うための所定位置への配置が楽になり、効率良く載置、読み取り、記録の一連の動作を行うことができる。なお点Ｐを地面から一番近くなるようにガラス台７の面内で傾けて設けることにより位置合わせをより容易にすることができる。
【００９４】
次に、本発明の第５の実施の形態について図８を参照して説明する。
【００９５】
第５の実施の形態の特徴は、帳票８に印字される情報を可視光領域においては不可視であるインク４２を用いて記録したことである。なおインク４２の種類が異なる以外の点は、第１の実施の形態の構成、動作と同一である。
【００９６】
インクロール２５にはインク４２が保持されており、プーリ２１，２２が回転することでインクロール２５が全ての文字２４に接触することでインク４２を供給することができる。
【００９７】
インク４２は、可視光領域においては実質的に不可視であり、所定の波長の光例えば紫外光をインク４２に照射した場合にのみ可視化される特性を有するものである。このインク４４は色素と溶媒とバインダとが混合されて構成される。色素には例えば可視光領域では実質的に不可視であって、紫外光（波長３５０ｎｍ程度）を照射することによって発光し可視化されるユウロビウムが用いられる。また溶媒には例えば水、またはエタノールが用いられる。またバインダにはアクリル系樹脂、ロジン系樹脂、スチレン系樹脂、ポリビニル系樹脂、リン系有機化合物が用いられる。またインク４２にカチオン化合物を添加しても良い。
【００９８】
なお、インク４２を使って所望の情報が印字された帳票８から、印字された情報を読み取る場合には、別途紫外光光源を有する読み取り装置を用いて帳票８裏面の情報に紫外光を照射することによって情報の読み取りを行う。
【００９９】
また、インクロール２５にインク４２を供給するインク貯蔵部４３内のインク４２の液量を測定する光センサがインク貯蔵部４３内もしくは近傍に設けられており、インク４２の残量が少なくなった場合にはインク補充を行うよう使用者に対して光、音を発して警告することや、帳票処理装置１の動作を制御するパソコンなどの電子機器などにメッセージを送って警告することもできる。光センサを設けることができない場合には印字数をカウンターにて計測しておきカウンターの数値がインク４２を補充すべき数値になった場合には使用者に対してインク４２の補充を警告することもできる。
【０１００】
以上述べたような第５の実施の形態では、インク４２を用いて印字された情報を第３者に明示することがないため機密性を高めることができる。またインク４２が可視化領域内では不可視であるためインク４２などによる汚れを視覚することがなく美観もよくなる。
【０１０１】
次に、本発明の第６の実施の形態について説明する。
【０１０２】
第６の実施の形態の特徴は、帳票８に印字されるインクに、インク４２に染料（色材）を混ぜて可視光領域で可視化されるインク４４を用いたことである。
【０１０３】
インク４４は、インク４２とインク４２に混ぜられる染料とからなり、インク４４の見え方（濃淡）は、インク４２より見えて黒のインクより見えない程度のものである。この染料には可視光領域で例えば赤に発光する染料が使われている。なおインク４４の可視光領域での発光色と紫外光を照射した時のインク４４の発光色とは異なっていても同じであっても適宜設定することができる。
【０１０４】
以上述べたような第６の実施の形態では、機密性および汚れの点においては第５の実施の形態よりも若干劣るが、ある程度の美観を保ちつつ紫外光を印字された情報に照射しなくとも使用者が即座に情報を把握することができる。このため印字された情報を読み取る場合に紫外光光源を有する読み取り装置で情報を読み取る必要が少なくなり作業効率が向上する。
【０１０５】
次に、本発明の第７の実施の形態について説明する。
【０１０６】
第７の実施の形態の特徴は、光源９，１０の波長が異なっていることである。
【０１０７】
例えば第１の光源としての光源９は帳票８表面に予め記録された情報を読み取るための波長を有する例えば白色光源であり、第２の光源としての光源１０は帳票８裏面に印字されたインク４２の情報を読み取るための波長（例えば波長３５０ｎｍ程度）を有する紫外光蛍光ランプ（ＵＶランプ）である。
【０１０８】
帳票８表面の情報を読み取る場合には光源９のみ発光し、帳票８裏面に印字された情報を読み取る場合には光源１０のみを発光してそれぞれの情報を読み取る。読み取られた情報はパソコンなどに接続されるディスプレイに表示される。光源１０から紫外光がインク４２により印字された情報に照射されることによって、例えば６２０ｎｍにピークをもつインク４２であれば赤っぽい色に発光しＣＣＤセンサ１１にて読み取ることができる。
【０１０９】
以上述べたような第７の実施の形態では、帳票８の裏面に所望の情報を印字するための帳票処理装置１と、帳票８裏面に印字された情報を読み取るための紫外光光源を有する読み取り装置とを別々に配置する必要がないため、配置面積の低減及び処理効率の向上に寄与する。
【０１１０】
次に、本発明の第８の実施の形態の構成について図９を参照して説明する。
【０１１１】
第８の実施の形態の特徴は、帳票８への印字に、可視光領域で可視であるインク４５と可視領域で不可視であるインク４２とを用いたことである。
【０１１２】
例えば機密性を必要とする情報（例えば整理番号、お客様個人を特定する文字または記号、金額を特定する文字または記号）を印字する場合にはインク４２を使用し、機密性を有しない情報（例えば日時や処理担当者）を印字する場合にはインク４５を使用する。
【０１１３】
インク４２を含んだインクロール４６がゴムベルト２３に当接可能に設けられる。インク４５を含んだインクロール２５がゴムベルト２３に当接可能に設けられる。
またインク４２もしくはインク４５をゴムベルト２３上から取り除くインク除去ローラ４７がゴムベルト２３と当接可能に設けられる。
【０１１４】
インク４５を用いて帳票８に印字を行う場合にはインクローラ２５のみゴムベルト２３に当接されインク４５がゴムベルト２３に供給される。次にインク４２を用いて帳票８に印字を行う場合にはインクローラ２５がゴムベルト２３から非接触となるよう移動されて、ゴムベルト２３上に付着しているインク４５をふき取るためのインク除去ローラ４７がゴムベルト２３に当接される。インク除去ローラ４７がゴムベルト２３に当接された状態でゴムベルト２３が少なくとも１回転されてゴムベルト２３上のインク４５を除去する。その後インク除去ローラ４７がゴムベルト２３から非接触状態となるように移動された後で、インクローラ４６がゴムベルト２３に当接されるように移動されインク４２をゴムベルト２３に供給しインク４２を用いた帳票８への印字が開始される。なおインクローラ２５、４６、インク除去ローラ４７の動作制御は図示しない制御装置によってなされる。また印字の動作は第１の実施の形態と同様である。
【０１１５】
このように帳票８裏面に印字すべき情報の機密性に応じて、インク４２もしくはインク４５を使い分けて印字を行っていく。
【０１１６】
以上述べたような第８の実施の形態では、機密性、美観を保持しつつ、既に帳票８裏面に所望の情報が印字されているか否かを使用者が即座に理解することができる。
【０１１７】
尚、本発明は上記実施の形態には限定されず、その主旨を逸脱しない範囲で種種変形して実施できることは言うまでもない。
【０１１８】
例えば、プリンタは、インクカートリッジと印字ヘッドとが一体になったタイプのインクジェットプリンタをカバーに取り付けることもできる。この場合には、印字ヘッドが印字を行う文字数分だけ移動する機構を設けるだけで、同様の機能を満たすことができる。また、熱転写プリンタをカバーに取り付けた場合もインクジェットプリンタの場合と同様に、印字ヘッドを移動させる機構を設けるだけで同様の効果を得ることができる。また、磁性体部、ストッパによって磁力を用いたが、カバーと帳票処理装置本体との間に載置される帳票が、カバーと帳票処理装置本体と密着状態になれば良く、カバーをバネで帳票処理装置本体へ押圧する方法であっても良い。また、インクジェット記録方式もしくは熱転写記録方式においても可視光領域で不可視であるインクを使用しても良い。また、ドットプリンタを用いた帳票処理装置においてもインクリボンに上記インクを用いることにより帳票を汚すことなく所望の情報の印字を行うことができる。
【０１１９】
【発明の効果】
以上説明したように本発明によれば、装置を小型化しつつ、帳票への所望の情報の印字の操作性を容易にすることができる。
【図面の簡単な説明】
【図１】本発明の帳票処理装置の第１の実施の形態の平面図、正面図、側面図。
【図２】本発明の帳票処理装置の第１の実施の形態のプリンタの平面図、正面図。
【図３】本発明の帳票処理装置の第１の実施の形態の斜視図。
【図４】本発明の帳票処理装置の第２の実施の形態の正面図。
【図５】本発明の帳票処理装置の第３の実施の形態の平面図、正面図、側面図。
【図６】本発明の帳票処理装置の第４の実施の形態の斜視図。
【図７】本発明の帳票処理装置の第４の実施の形態の基準位置の説明図。
【図８】本発明の帳票処理装置の第５の実施の形態のプリンタの平面図、正面図。
【図９】本発明の帳票処理装置の第８の実施の形態のプリンタの平面図、正面図。
【図１０】従来の帳票処理装置の側面図。
【符号の説明】
１  帳票読取装置
２  筐体
３  プリンタ（印字部）
４  カバー
５，６  蝶番
７  ガラス台（帳票載置台）
８  帳票
９，１０  光源（光学部）
１１  ＣＣＤセンサ（光学部）
１２，１３，１４，１５  折り返しミラー（光学部）
１６  レンズ（光学部）
１７  第１キャリッジ（キャリッジ）
１８  第２キャリッジ（キャリッジ）
１９  光センサ
２０  プリンタ固定板
２１，２２  プーリ
２３  ゴムベルト
２４  文字
２５，４６  インクロール
２６，２７  帳票押え
２８  ハンマ
２９  ハンマホルダ
３０  レール
３１，３２  磁性体部
３３，３４  ストッパ
３５  机
【図１】
0003570976.tif 000002
【図２】
0003570976.tif 000003
【図３】
0003570976.tif 000004
【図４】
0003570976.tif 000005
【図５】
0003570976.tif 000006
【図６】
0003570976.tif 000007
【図７】
0003570976.tif 000008
【図８】
0003570976.tif 000009
【図９】
0003570976.tif 000010
【図１０】
0003570976.tif 000011